(57)【要約】【課題】画像記録処理装置及び画像記録処理方法に関し、画像記録処理に係る操作性を向上させる。【解決手段】所定の操作で画像を撮影する撮影手段１と、撮影された画像にメタ情報を付加するための制御を実施する付加制御手段３ｃと、該操作が所定時間以上継続される継続操作を検出する継続操作検出手段５とを備える。また、継続操作検出手段５で該継続操作が検出されたときに、付加制御手段３ｃに該制御を実施させるモード切換手段３ｂを備える。【選択図】図２
2011199562.tif 000002
【特許請求の範囲】
【請求項１】
所定の操作で画像を撮影する撮影手段と、
該撮影手段で撮影された該画像に該画像のメタ情報を付加するための制御を実施する付加制御手段と、
該操作が所定時間以上継続される継続操作を検出する継続操作検出手段と、
該継続操作検出手段で該継続操作が検出されたときに、該付加制御手段に該制御を実施させるモード切換手段と
を備えたことを特徴とする、画像記録処理装置。
【請求項２】
該継続操作検出手段が、該画像の撮影の完了時からの該継続操作を検出する
ことを特徴とする、請求項１記載の画像記録処理装置。
【請求項３】
筐体の移動を検出する移動検出手段と、
該移動検出手段で検出された該移動に基づき、該画像のメタ情報を選択する選択手段と、
該選択手段で選択された該メタ情報を表示する表示手段と
をさらに備えたことを特徴とする、請求項１又は２記載の画像記録処理装置。
【請求項４】
該選択手段が、該継続操作検出手段で該継続操作が検出されているときに、該画像のメタ情報を選択する
ことを特徴とする、請求項３記載の画像記録処理装置。
【請求項５】
該付加制御手段が、該継続操作検出手段で該継続操作が検出されなくなったときに、該選択手段で選択されているメタ情報を該画像に付加する
ことを特徴とする、請求項４記載の画像記録処理装置。
【請求項６】
撮影した画像に該画像のメタ情報を付加する画像記録処理方法であって、
所定の操作で該画像を撮影する第一ステップと、
該操作が所定時間以上継続される継続操作の検出時に、メタ情報付加モードへ移行する第二ステップと、
該メタ情報付加モード下で該画像のメタ情報を該画像に付加する第三ステップと
を備えたことを特徴とする、画像記録処理方法。
【発明の詳細な説明】
【技術分野】
【０００１】
本件は、撮影された画像にメタ情報を付加する画像記録処理装置及び画像記録処理方法に関する。
【背景技術】
【０００２】
従来、電子機器によって撮影されるディジタル写真において、撮影日時やシャッター速度，Ｆ値といった撮影条件に関するメタ情報を画像データに付加する技術が知られている。これらのメタ情報は、画像データの撮影時の状況を把握するのに有用であり、画像データの整理，検索時におけるキーワードとしても活用される。
近年ではこのようなメタ情報として、撮影条件に関する情報だけでなく、操作者によって恣意的に指定されるタグ情報（属性情報）を画像データに付加する技術も提案されている。画像データに付加されるタグ情報としては、被写体の種類（人物，風景，食べ物，建築物等）や被写体の名称，撮影場所の地名等が挙げられる（例えば、特許文献１参照）。各々の画像データに多様なタグ情報を設定することで、画像データのデータベース化が容易となる。
【先行技術文献】
【特許文献】
【０００３】
【特許文献１】特開２００５−３４７８００号公報
【発明の概要】
【発明が解決しようとする課題】
【０００４】
しかしながら、従来の手法では、タグ情報を画像データに付加するための入力操作が複雑であり、操作性を向上させることが難しいという課題がある。例えば、十字キーやカーソルキーといった一般的な入力手法を用いる場合、ユーザーは羅列された複数のタグ情報の中から任意のタグ情報を探しながらカーソルを移動させて、目的のタグ情報を選択しなければならない。そのため、任意のタグ情報を選択して決定するまでのキータッチ数が多くなり、操作が煩雑となる。このような操作性の低下は、選択可能なタグ情報の種類が増大するほど顕著となる。
【０００５】
本件の目的の一つは、このような課題に鑑み創案されたもので、画像記録処理に係る操作性を向上させることである。
なお、前記目的に限らず、後述する発明を実施するための形態に示す各構成により導かれる作用効果であって、従来の技術によっては得られない作用効果を奏することも本件の他の目的として位置づけることができる。
【課題を解決するための手段】
【０００６】
このため、開示の画像記録処理装置は、所定の操作で画像を撮影する撮影手段と、該撮影手段で撮影された該画像に該画像のメタ情報を付加するための制御を実施する付加制御手段とを備える。さらに、該操作が所定時間以上継続される継続操作を検出する継続操作検出手段と、該継続操作検出手段で該継続操作が検出されたときに、該付加制御手段に該制御を実施させるモード切換手段とを備える。
【０００７】
また、開示の画像記録処理方法は、所定の操作で該画像を撮影する第一ステップと、該操作が所定時間以上継続される継続操作の検出時に、該メタ情報付加モードへ移行する第二ステップとを備える。さらに、該メタ情報付加モード下で該画像のメタ情報を該画像に付加する第三ステップを備える。
【発明の効果】
【０００８】
開示の技術によれば、画像記録処理に係る操作性を向上させることができる。
【図面の簡単な説明】
【０００９】
【図１】実施形態に係る画像記録処理装置を例示する斜視図であり、（ａ）は正面側、（ｂ）は裏面側を示す。
【図２】図１の画像記録処理装置の制御システム構成図である。
【図３】図１の装置におけるタグ配列空間を模式的に示す概念図である。
【図４】図１の装置における画像記録処理方法を例示するフローチャート（カメラ制御フロー）である。
【図５】図１の装置における画像記録処理方法を例示するフローチャート（タグ付加フロー）である。
【図６】図１の装置で実施される画像記録処理を示すプロセスフローチャートである。
【図７】図１の装置で実施される画像記録処理を示すプロセスフローチャートである。
【図８】図１の装置でのタグ付加モード時の表示画面を例示する模式図であり、（ａ），（ｃ），（ｅ）はタグ選択画面の表示例、（ｂ），（ｄ）は選択時の操作状態を例示する斜視図である。
【図９】図１の装置でのタグ付加モード時の表示画面を例示する模式図であり、（ａ）はタグの決定時の操作状態を示す斜視図、（ｂ）は決定後のダイアログボックス表示例、（ｃ）はタグ選択継続時の操作状態を示す斜視図、（ｄ）はタグ選択継続時のダイアログボックス表示例を示す。
【発明を実施するための形態】
【００１０】
以下、図面を参照して本画像記録処理装置及び画像記録処理方法に係る実施の形態を説明する。ただし、以下に示す実施形態は、あくまでも例示に過ぎず、以下に示す実施形態で明示しない種々の変形や技術の適用を排除する意図はない。すなわち、本実施形態を、その趣旨を逸脱しない範囲で種々変形（実施形態及び各変形例を組み合わせる等）して実施することができる。
【００１１】
［１．画像記録処理装置の概要］
図１（ａ），（ｂ）は、一実施形態に係る画像記録処理装置としてのカメラ付き携帯電話機１０を例示する斜視図である。この携帯電話機１０には、通話機能や電子メールの送受信機能，インターネット接続機能，音楽再生機能，ＧＰＳ機能，カメラ機能（画像記録処理機能）といった多様な機能が搭載される。本実施形態では主にカメラ機能を取り上げて説明する。
【００１２】
この携帯電話機１０は、ヒンジ部２０を介して操作部筐体１１及び表示部筐体１２が開閉自在に取り付けられた折り畳み式の携帯情報端末装置である。ここでは、表示部筐体１２が開放された状態が図示されている。以下、操作部筐体１１及び表示部筐体１２のそれぞれにおいて、閉鎖時に内側となる面を正面と呼ぶ。また、閉鎖時に外側となる面を裏面と呼ぶ。
【００１３】
操作部筐体１１には、操作用の複数のキー１８が設けられる。例えば、図１（ａ）に示すように、操作部筐体１１の正面には番号入力及び文字入力に用いられる数字ボタン１７やメニュー画面の呼び出し用のメニューボタン１６，多機能ボタン１４（撮影操作部，キー操作部），カメラ機能を呼び出すためのカメラボタン１９等が設けられる。メニューボタン１６の押下によって呼び出されるメニュー画面では、携帯電話機１０に搭載される各種機能の選択，決定が可能である。
【００１４】
多機能ボタン１４には、メニュー画面に表示される項目の決定や文字入力の決定，受信した電子メールの開封，インターネットＵＲＬの決定，音楽の再生及び停止といった様々な機能が割り当てられる。これらのキー１８は操作部筐体１１の側面や裏面にも配置される。
また、図１（ｂ）に示すように、操作部筐体１１にはカメラ機能を実現する撮影ユニット１が内蔵される。撮影ユニット１のレンズは、操作部筐体１１の裏面に配置される。撮影用のシャッターボタンとしては、操作部筐体１１の正面の多機能ボタン１４が用いられる。以下、カメラ機能の起動時における多機能ボタン１４の機能を明示すべく、これをシャッターボタン１４とも呼ぶ。
【００１５】
表示部筐体１２の正面には、各種表示を行うカラー液晶型のディスプレイ１５が設けられる。ディスプレイ１５は、撮影ユニット１での撮影時におけるファインダとして機能するほか、各種情報，ダイアログボックス，メニュー画面等の表示にも用いられる。
表示部筐体１２には加速度センサ１３（モーションセンサ）が内蔵される。加速度センサ１３は表示部筐体１２に作用する加速度の大きさから携帯電話機１０の動きを検出するセンサである。
【００１６】
［２．制御システム構成］
本携帯電話機１０は、カメラ機能に係る二種類のモードを有する。第一のモードはディジタル画像を撮影するための撮影モードであり、第二のモードは撮影された画像データにメタ情報を付加するためのタグ付加モードである。カメラ機能の起動時には、何れかのモードで制御が実施される。また、タグ付加モードでは、カメラ機能が一時的に休止する。
【００１７】
メタ情報とは、画像データ自身に関するデータ（付加的な情報、画像データの内容を記述，代表する情報等）を意味する。メタ情報には、撮影条件に関する情報及び操作者によって恣意的に指定されるタグ情報（属性情報）が含まれる。以下、上記のメタ情報のことを単にタグとも呼ぶ。タグの具体例としては、被写体の種類（人物，風景，食べ物，建築物，公私の属性等）や被写体の名称，撮影場所の地名，撮影の日付，曜日等が考えられる。
【００１８】
これらの各モードでの制御を実施するためのシステム構成を図２に例示する。このシステムには、前述の撮影ユニット１（撮影手段），ＵＩ制御部２（プロセッシングユニット），データ記憶領域制御部８及び記憶装置９が設けられる。ＵＩ制御部２には、加速度センサ１３，シャッターボタン１４，ディスプレイ１５，メニューボタン１６，数字ボタン１７及びカメラボタン１９が接続される。
【００１９】
撮影ユニット１には、画像の撮影に係るハードウェアを含むカメラ部１ａと、これを制御するソフトウェアを含むカメラ制御部１ｂとが設けられる。カメラ制御部１ｂ，ＵＩ制御部２及びデータ記憶領域制御部８は、マイクロコンピュータで構成された電子制御装置であり、例えばマイクロプロセッサやＲＯＭ，ＲＡＭ等を集積したＬＳＩデバイスとして提供される。
【００２０】
撮影ユニット１のカメラ部１ａは、レンズ，レンズの駆動装置，距離センサ，光電変換素子等を含むデバイスである。光電変換素子は、レンズから入射した光の波長及び強度等に応じた信号（画素信号）を生成する。カメラ制御部１ｂは、カメラ部１ａに撮影動作を行わせるとともに、カメラ部１ａで生成された画素信号にディジタル信号処理を施してディジタル画像データを作成する。
【００２１】
例えば撮影モード時には、カメラ制御部１ｂがカメラ部１ａの距離センサで検出された被写体までの距離に基づいてレンズを駆動し、焦点距離を調整する。カメラ部１ａから伝達される画素信号は、カメラ制御部１ｂを介して随時ＵＩ制御部２へ伝達され、ディスプレイ１５上に映像として表示される。また、カメラ制御部１ｂは、ＵＩ制御部２からの撮影制御指示に基づき、カメラ部１ａに撮影要求を伝達する。これを受けてカメラ部１ａは、撮影要求に応じた解像度の画素信号をカメラ制御部１ｂに出力する。カメラ制御部１ｂは、この画素信号からディジタル画像データを作成し、この画像データをＵＩ制御部２に送る。
【００２２】
記憶装置９は、更新記録可能なフラッシュメモリ，ＲＯＭ，ＲＡＭといった各種ＩＣメモリ，内蔵あるいはデータ通信端子で接続されたハードディスク，メモリカード等の情報記録媒体及びその読み書き装置等を備えたものである。記憶装置９には、予め用意されたタグが記録されたタグ格納部９ａと、画像データを保存するための画像データ記憶部９ｂとが設けられる。図３に示すように、タグ格納部９ａには、種々のカテゴリーからなる複数のタグ配列が三次元的に記録されている。タグ格納部９ａは、タグの内容情報と配列空間内における座標情報とを含むデータベースとしてタグ配列を管理する。このデータベースのことをタグ配列空間と呼ぶ。
【００２３】
データ記憶領域制御部８は、ＵＩ制御部２及び記憶装置９間を仲介する制御部であり、ＵＩ制御部２からのタグの情報要求を受けて、タグ格納部９ａに記録されたタグの情報を取得する機能を持つ。また、ＵＩ制御部２から画像データが転送された場合に、付加されたタグの種類等に応じた画像データ記憶部９ｂ内の場所（アドレス又はディレクトリ）に画像データを振り分ける機能を持つ。
【００２４】
なお、画像データ記憶部９ｂは、画像データが適切に保存されたときに、保存完了通知をデータ記憶領域制御部８に伝達する。これを受けて、データ記憶領域制御部８は、転送受理通知及び保存完了通知をＵＩ制御部２に伝達する。
ＵＩ制御部２は、ＵＩ（User Interface，ユーザーインターフェイス）に係る機能部の総称である。ＵＩ制御部２は、撮影モード時にカメラ制御部１ｂに撮影指示を伝達する機能及びディスプレイ１５に映像，画像を表示させる機能を担う。また、タグ付加モード時には、撮影された画像にタグを埋め込んで保存する機能を担う。
【００２５】
ＵＩ制御部２には、中央処理制御部３，画像データ一時記憶部４，シャッター状態検出部５（継続操作検出手段），入出力制御部６（表示手段）及びモーション検出部７（移動検出部，移動検出手段）が設けられる。これらの機能部は、ハードウェアとして設けてもよく、あるいはソフトウェアとしてプログラミングされたものとしてもよいし、あるいはこれらの機能部のうちの一部をハードウェアとして設け、他部をソフトウェアとしたものであってもよい。
【００２６】
画像データ一時記憶部４は、撮影ユニット１で作成された画像データを一時的に記憶するメモリである。撮影モードからタグ付加モードへの移行時には、画像データが一旦ここに記憶される。
シャッター状態検出部５はシャッターボタン１４の操作状態を検出するものであり、シャッターボタン１４を押す操作（所定の操作，撮影操作）及びその押下を所定時間以上継続する操作（継続操作）を検出する。本実施形態における継続操作とは、撮影操作の完了時からの操作を意味する。
【００２７】
シャッター状態検出部５は、カメラの起動状態において、シャッター状態の確認要求をシャッターボタン１４に適宜伝達し、その応答としてシャッターボタン１４の操作状態を取得する。
ここで検出された操作状態の情報は、入出力制御部６を介して中央処理制御部３へ伝達される。シャッター状態検出部５は、撮影操作が所定時間以上継続される継続操作を検出する継続操作検出部として機能する。好ましくは、継続操作に係る所定時間を数百ミリ秒から数秒程度とする。
【００２８】
モーション検出部７は、加速度センサ１３から伝達される加速度信号に基づいて表示部筐体１２の動き（スウィング操作）を検出するものである。モーション検出部７は、タグ付加モード下において、センシング要求を加速度センサ１３に適宜伝達し、その応答として加速度信号を取得する。加速度センサ１３は、加速度の三軸成分を個別に検知する。加速度センサ１３で検知される加速度の成分方向は、表示部筐体１２の正面を基準として設定される。
【００２９】
図１（ａ），（ｂ）に示すように、Ｘ軸はディスプレイ１５の左右方向に延在し、Ｙ軸はディスプレイ１５の上下方向に延在し、Ｚ軸はディスプレイ１５面に対する垂直方向に延在する。モーション検出部７で検出された表示部筐体１２の動きの情報は、入出力制御部６を介して中央処理制御部３へ伝達される。
入出力制御部６は、シャッター状態検出部５及びモーション検出部７で検出された情報を中央処理制御部３へ伝達するとともに、ＵＩ制御部２に接続された各種入出力装置を制御するものである。例えば、入出力制御部６は中央処理制御部３からの表示要求をディスプレイ１５に伝達し、画面表示を行う。また、入出力制御部６はカメラボタン１９，メニューボタン１６等の操作状態を検出し、これを中央処理制御部３に伝達する。
【００３０】
中央処理制御部３は、携帯電話機１０のカメラ機能を管理するものであり、撮影制御部３ａ，モード切換部３ｂ（モード切換手段），付加制御部３ｃ（付加制御手段），選択部３ｄ（選択手段）及びダイアログ制御部３ｅを備える。
中央処理制御部３は、カメラ機能が未起動の状態でカメラボタン１９への押下操作を検出した時に、カメラの起動要求をカメラ制御部１ｂに伝達し、これに対する起動完了通知が送信された場合に、カメラ機能を提供する。また、カメラ機能が起動した状態でカメラボタン１９への押下操作を検出した時には、カメラの停止要求をカメラ制御部１ｂに伝達し、これに対する停止完了通知が送信された場合に、カメラ機能の提供を終了する。
【００３１】
なお、中央処理制御部３は、カメラ機能が起動した状態でメニューボタン１６が操作されたときには、カメラ機能を一時停止し、携帯電話機１０の各種機能を選択，決定するためのメニュー画面を入出力制御部６に表示させる機能を有する。
撮影制御部３ａは、撮影モード時の制御を実施するものであり、カメラ部１ａから伝達される画素信号を入出力制御部６へ転送し、ディスプレイ１５に映像を表示させる。また、撮影制御部３ａは、カメラ機能が起動した状態でシャッターボタン１４への押下操作を検出した場合に、撮影制御要求をカメラ制御部１ｂに伝達し、カメラ機能の提供を一時停止する。前述の通り、撮影制御要求は撮影ユニット１に撮影させるための制御信号であり、これを受けてカメラ制御部１ｂからＵＩ制御部２に画像データが送信されることになる。
【００３２】
モード切換部３ｂは、カメラ機能の起動中に撮影モードとタグ付加モードとを切り換えるものである。モード切換部３ｂは、撮影操作から連続する継続操作が検出された場合に、撮影モードをタグ付加モードに変更する。つまり、シャッターボタン１４が押下されたままの状態であるときに、その押下によって撮影された画像データにタグを付加するモードとなる。一方、シャッターボタン１４が押下されたままでない場合（例えば、短時間でシャッターボタン１４から指が放された場合）には、モードが切り換えられることはない。
【００３３】
付加制御部３ｃは、撮影モードからタグ付加モードへの切り換え時に、以下の制御を実施する。
（１）撮影ユニット１で作成された画像データを画像データ一時記憶部４に記憶させる
（２）ディスプレイ１５にタグ選択画面及びカーソルを表示させる
（３）継続操作が検出されなくなると画像データにメタ情報を付加する
タグ付加モードでは、画像データ一時記憶部４に記憶された画像データがメタ情報の付加対象となる。
【００３４】
タグ選択画面とは、予め用意された複数のタグが羅列された画面であり、図３に示すタグ配列の中から抽出された特定の階層，特定の範囲内のタグ群からなる。また、カーソルとは、タグ選択画面内で選択されるタグの位置を指定する記号である。
付加制御部３ｃは、タグ配列空間の座標系が加速度センサ１３で検出される動きの座標系に一致するようにタグ選択画面のタグ群を表示する。例えば、タグ配列空間でＸ軸，Ｙ軸方向に隣接するタグは、ディスプレイ１５上でもＸ軸，Ｙ軸方向に隣接して表示される。
【００３５】
また、シャッターボタン１４が押し続けられている間は、以下に説明する選択部３ｄにより、カーソルの位置及びタグ選択画面に表示されるタグ配列の階層が更新される。一方、シャッターボタン１４が押し続けられなくなった場合、付加制御部３ｃはその時点でのカーソル位置に対応するタグの情報を画像データに埋め込み、データ記憶領域制御部８にその画像データを転送する。
【００３６】
選択部３ｄは、モーション検出部７で検出された表示部筐体１２の動きに基づき、付加制御部３ｃで付加されるタグを選択するものである。選択部３ｄは、表示部筐体１２の動きと付加制御部３ｃに記憶されたタグ配列空間におけるカーソルの動きとを対応付けて、カーソルの位置及びタグ選択画面に表示されるタグ配列空間の階層を移動させる。
例えば、表示部筐体１２の動きがＸ軸方向であれば、カーソルの移動方向もＸ軸方向とする。なお、選択部３ｄは、シャッターボタン１４が押し続けられている間（すなわち、継続操作中）にのみ作動する。
【００３７】
ダイアログ制御部３ｅは、操作者の確認用のダイアログボックスを制御する。ダイアログ制御部３ｅは、付加制御部３ｃによるタグの埋め込み制御の直前に、入出力制御部６へダイアログの表示要求を伝達し、ディスプレイ１５上にタグの付加操作を確認するダイアログボックスを表示させる。また、ダイアログ制御部３ｅは、一つのタグの埋め込みが完了する毎に、引き続きタグ付けを行うか否かを確認するダイアログボックスを表示させる。
【００３８】
これらのダイアログボックスは操作者からの入力を促すものであり、所定の確認操作がなされたときに消失する。所定の確認操作の具体例は任意であり、例えば数字ボタン１７やシャッターボタン１４の押下操作でもよいし、シャッターボタン１４の押下を継続した状態での表示部筐体１２の動作（すなわち、スウィング操作）でもよい。
【００３９】
［３．フローチャート］
［３−１．カメラ制御フロー］
図４は、携帯電話機１０でのカメラ機能の制御例を示すフローチャートである。
ステップＡ１では、ＵＩ制御部２において、カメラ機能の呼び出し操作の有無が判定される。メニュー画面からカメラ機能が呼び出された場合や、カメラボタン１９が押下された場合にはステップＡ２へ進む。
【００４０】
ステップＡ２では、ＵＩ制御部２からカメラ制御部１ｂに起動要求が伝達され、カメラ部１ａが起動する。続くステップＡ３では、カメラ制御部１ｂによりカメラ部１ａが制御され、撮影モードが開始される。カメラ部１ａで捉えられた映像は随時ディスプレイ１５上に表示され、操作者にリアルタイムで提供される。
【００４１】
ステップＡ４では、ＵＩ制御部２において、カメラ機能の停止操作の有無が判定される。メニュー画面からカメラ機能の停止が選択された場合や、カメラボタン１９が再び押下された場合には、ステップＡ１９へ進み、ＵＩ制御部２からカメラ制御部１ｂに終了要求が伝達される。これによりカメラ部１ａが停止し、カメラ機能の提供が一時的に停止する。一方、カメラ機能の停止操作がない場合にはステップＡ５へ進む。
【００４２】
ステップＡ５では、シャッター状態検出部５においてシャッターボタン１４の操作状態が検出される。その後ステップＡ６では、シャッター状態検出部５で検出された操作状態が撮影操作であるか否かが判定される。撮影操作でない場合（シャッターボタン１４が押下されていない場合）には、制御がステップＡ３へ戻り、撮影モードの制御が継続される。一方、撮影操作である場合（シャッターボタン１４が押下された場合）にはステップＡ７へ進む。
【００４３】
ステップＡ７では、シャッター状態検出部５において継続操作の検出に係る計時が開始される。ここでは、インクリメント処理が施されるカウンタ値Ｃを参照することにより、経過時間が計測される。続くステップＡ８では、ＵＩ制御部２からカメラ制御部１ｂに撮影指示が伝達され、カメラ制御部１ｂにおいて画像データが作成される（第一ステップ）。
【００４４】
ステップＡ９では、前ステップで作成された画像データがＵＩ制御部２に送られ、画像データ一時記憶部に保存される。続くステップＡ１０では、シャッター状態検出部５において再びシャッターボタン１４の操作状態が検出及び判定される。ここで、シャッターボタン１４が押下されている場合にはステップＡ１１へ進み、シャッターボタン１４が押下されていない場合にはステップＡ１４へ進む。
【００４５】
ステップＡ１１では、シャッターボタン１４の押し放し操作の継続時間が判定される（第二ステップ）。ここでカウンタ値Ｃが所定値Ｃ0以上（Ｃ≧Ｃ0）である場合にはステップＡ１２へ進んでカウンタ値Ｃがクリア（Ｃ＝０）され、制御がタグ付加フローへと進む。所定値Ｃ0は継続操作に係る所定時間に対応して設定される値である。
一方、カウンタ値Ｃが所定値Ｃ0未満（Ｃ＜Ｃ0）である場合にはステップＡ１３へ進み、カウンタ値ＣにＣ＋１が代入されて、制御がステップＡ１０へと戻る。これにより、シャッターボタン１４が押下されなくなるか、カウンタ値Ｃが所定値Ｃ0以上になるまで時間の計測が継続される。
【００４６】
シャッターボタン１４が押下されなくなると、ステップＡ１４でカウンタ値Ｃがクリアされ、そのまま撮影モードが継続される。続くステップＡ１５では、画像データ一時記憶部４に記憶されていた画像データが中央処理制御部３を介してデータ記憶領域制御部８に転送される。ここで転送された画像データは、タグ無し画像データとして画像データ記憶部９ｂに保存される。
【００４７】
［３−２．タグ付加フロー］
図５は、撮影モードで撮影された画像データへのタグ付けを行うためのタグ付加モードの制御例を示すフローチャートである。
ステップＢ１ではタグ付加モードが開始され、付加制御部３ｃによりタグ選択画面及びカーソルがディスプレイ１５に表示される。続くステップＢ２では、シャッター状態検出部５においてシャッターボタン１４の操作状態が検出される。その後、ステップＢ３ではシャッター状態検出部５で検出された操作状態が継続操作であるか否かが判定される。ここで、継続操作が検出された場合にはステップＢ４へ進み、継続操作が検出されない場合にはステップＢ８へ進む。ステップＢ４側のフローはタグの選択に係るフローであり、ステップＢ８側のフローはタグの決定に係るフローである。
【００４８】
ステップＢ４では、モーション検出部７において、加速度センサ１３から伝達される加速度信号に基づき、表示部筐体１２の動きが検出される。続くステップＢ５では、前ステップで検出された動きがＺ軸方向であるか否かが判定される。
ここで動きがＺ軸方向である場合にはステップＢ６へ進み、その方向（符号）に応じてタグ選択メニューが更新される。また、動きがＺ軸方向でなければステップＢ７へ進み、その方向に応じてカーソルの位置が更新される。なお、動きが全くなければ、カーソルの位置が変更されることなく同一位置に再描画される。
【００４９】
ステップＢ６，Ｂ７の何れの場合であっても制御はステップＢ２へと戻り、継続操作が検出されなくなるまでタグの選択操作が継続される。
一方、ステップＢ８では、カーソル位置に対応するタグの情報要求がＵＩ制御部２からデータ記憶領域制御部８に伝達され、タグの情報が取得される。続くステップＢ９では、付加制御部３ｃにより、前ステップで取得されたタグの付加操作を確認するダイアログボックスが表示される。ここで、付加操作が操作者に禁止（キャンセル）された場合には、ステップＢ１０へ進み、ステップＢ８で取得されたタグ情報が廃棄されて、制御がステップＢ２へと戻る。
【００５０】
また、付加操作が操作者に許可された場合にはステップＢ１１へ進む。ステップＢ１１では、付加制御部３ｃにより、画像データ一時記憶部４に保存されている画像データの内部にタグの情報が埋め込まれる（第三ステップ）。
続くステップＢ１２では、付加制御部３ｃによりタグ付けが完了したことを示すダイアログボックスがディスプレイ１５に表示されるとともに、引き続きタグの付加操作を継続するか否かを確認するダイアログボックスが表示される。ここでタグの付加操作の継続が選択された場合には、制御がステップＢ２へと戻る。このような繰り返しにより、一つの画像データに対して複数のタグが付加される
また、タグの付加操作の継続が選択されなかった（キャンセルされた）場合には、ステップＢ１３へ進み、画像データ一時記憶部４に記憶されているタグが埋め込まれた画像データがデータ記憶領域制御部８に転送される。データ記憶領域制御部８では、付加されたタグの種類等に応じた場所に画像データが振り分けられ、画像データ記憶部９ｂに記録される。その後、制御はカメラ制御フロー（図４）のステップＡ３へと進む。これにより、カメラ部１ａが再び起動し、一時停止していたカメラ機能が復帰する。
【００５１】
［４．プロセスフローチャート］
［４−１．画像撮影時］
図６を用いて携帯電話機１０での画像撮影時における制御プロセスを説明する。
時刻ｔ1にカメラボタン１９が押下されてカメラ機能が呼び出されると、ＵＩ制御部２は撮影ユニット１のカメラ制御部１ｂに起動要求を伝達する。起動要求を受信したカメラ制御部１ｂはカメラ部１ａを起動させ、起動完了通知をＵＩ制御部２に送信する。これにより撮影モードが開始され、入出力制御部６がカメラ部１ａで捉えられた映像をディスプレイ１５に表示する。
【００５２】
時刻ｔ2に操作者がシャッターボタン１４を押下すると、その操作がＵＩ制御部２のシャッター状態検出部５で検出される。これを受けて、ＵＩ制御部２は撮影制御要求をカメラ制御部１ｂに伝達する。カメラ制御部１ｂはカメラ部１ａに撮影要求を伝達し、カメラ制御部１ｂから入力される画素信号からディジタル画像データを作成する。この画像データはＵＩ制御部２に送られ、画像データ一時記憶部４が記憶する（時刻ｔ3）。
【００５３】
引き続き、ＵＩ制御部２のシャッター状態検出部５がシャッター状態の確認要求をシャッターボタン１４に伝達する。ここで、時刻ｔ2からの経過時間が継続操作に係る所定時間に満たない時刻ｔ4にシャッターボタン１４の押下が検出されなくなった場合、ＵＩ制御部２は画像データ一時記憶部４に記憶された画像データを記憶装置９に保存する（時刻ｔ5）。つまり、タグ付加モードへの切り換えが行われず、画像データにタグが付加されない。
【００５４】
この場合、ＵＩ制御部２が画像データをデータ記憶領域制御部８にデータ転送する。データ記憶領域制御部８は、画像データの保存先を決定し（時刻ｔ6）、これを画像データ記憶部９ｂに転送する。時刻ｔ7に保存が完了すると、画像データ記憶部９ｂは保存完了通知をデータ記憶領域制御部８に伝達する。
これを受けてデータ記憶領域制御部８は、転送受理通知及び保存完了通知をＵＩ制御部２に伝達し、時刻ｔ8にＵＩ制御部２において画像データの保存の完了が確認され、その後、撮影モードに移行する。
【００５５】
［４−２．タグ付加時］
上述の制御プロセスにおいて、時刻ｔ2からの経過時間が継続操作に係る所定時間以上となる時刻ｔ10までシャッターボタン１４の押下が継続された場合の制御プロセスを図７に例示する。
この場合、撮影モードがタグ付加モードに切り換えられ、時刻ｔ11にＵＩ制御部２がタグ選択画面及びカーソルをディスプレイ１５に表示する。例えば、図８（ａ）に具体例として示すように、「画像の種類」カテゴリーに含まれる九つのタグがディスプレイ１５に表示され、その中央にカーソルが表示される。
【００５６】
また、ＵＩ制御部２のモーション検出部７がセンシング要求を加速度センサ１３に伝達する。加速度センサ１３は、加速度の三軸成分を検知し（時刻ｔ12）、加速度信号をＵＩ制御部２に送信する。
これを受けてＵＩ制御部２は、タグ配列空間におけるカーソルの位置を算出し（時刻ｔ13）、表示部筐体１２の動きとカーソルの動きとを対応付けて、カーソルの位置及びタグ選択画面に表示されるタグ配列空間の階層を移動させる（時刻ｔ14）。また、ＵＩ制御部２はディスプレイ１５に表示要求を伝達し、タグ選択画面を描画させる。描画が完了するとディスプレイ１５はＵＩ制御部２に表示完了通知を伝達する。
【００５７】
例えば、図８（ｂ）に示すように、操作者が携帯電話機１０を右方向〔図１（ａ）のＸ軸方向〕に移動させると、タグ配列空間におけるカーソルも図８（ｃ）に示すように右方向（図３のＸ軸方向）に移動する。また、図８（ｄ）に示すように、操作者が携帯電話機１０をディスプレイ１５に対して垂直に手前方向〔図１（ａ）のＺ軸方向〕へ移動させると、タグ配列空間におけるカーソルも図８（ｅ）に示すように図３のＺ軸方向へ移動し、「曜日」カテゴリーに含まれる九つのタグがディスプレイ１５に表示される。
【００５８】
一方、ＵＩ制御部２のシャッター状態検出部５は、シャッター状態の確認要求をシャッターボタン１４に伝達する。シャッターボタン１４の継続操作中は、表示部筐体１２の動きに合わせるようにタグ選択画面の内容が更新されるため、操作者はシャッターボタン１４を押下したまま携帯電話機１０を動かすことで、任意のタグを選択可能となる。
時刻ｔ15に操作者がシャッターボタン１４から指を放すと、シャッター状態検出部５はＵＩ制御部２から伝達されるシャッター状態の確認要求に対し、継続操作が検出されない旨の通知を送信する。これを受けてＵＩ制御部２は、その時点でのカーソル位置に対応するタグを選択することが操作者によって決定されたものと判断する。
【００５９】
また、入出力制御部６へダイアログの表示要求を伝達し、タグ付け操作の確認用のダイアログボックスをディスプレイ１５に表示させる（時刻ｔ16）。ディスプレイ１５は、画面表示後にＵＩ制御部２に表示完了通知を伝達する。例えば、図９（ａ）に示すように、操作者がシャッターボタン１４から親指を放すと、図９（ｂ）に示すように、確認用のダイアログボックスが表示される。
【００６０】
さらに、ＵＩ制御部２は加速度センサ１３にセンシング要求を伝達する。加速度センサ１３は、加速度の三軸成分を検知し（時刻ｔ17）、加速度信号をＵＩ制御部２に送信する。これを受けてＵＩ制御部２は、付加操作が許可されたか否かを判断する。
例えば、図９（ｃ）に示すように、操作者が再びシャッターボタン１４が押下した状態で、携帯電話機１０を左方向（ここでは、付加操作を許可するYes方向）に移動させると、ＵＩ制御部２は選択されたタグの情報要求をデータ記憶領域制御部８に伝達する。データ記憶領域制御部８は、ＵＩ制御部２から伝達されたタグの情報要求に基づき、タグ格納部９ａに記録されたタグの情報の中から選択されたタグに関する情報を取得し、ＵＩ制御部２に送信する。
【００６１】
ＵＩ制御部２は受領したタグに関する情報を画像データ一時記憶部４に記憶された画像データに埋め込み（時刻ｔ18）、ディスプレイ１５に表示要求を伝達する。例えば、図９（ｄ）に示すように、ディスプレイ１５には、引き続きタグ付けを行うか否かを確認するダイアログボックスが表示される（時刻ｔ19）。また、ディスプレイ１５は、このような画面を表示した後に、ＵＩ制御部２に表示完了通知を伝達する。
【００６２】
ＵＩ制御部２は加速度センサ１３にセンシング要求を伝達する。加速度センサ１３は、加速度の三軸成分を検知し（時刻ｔ20）、加速度信号をＵＩ制御部２に送信する。これを受けてＵＩ制御部２は、タグ付けを継続するか否かを判断する。
タグ付けを継続しない場合、ＵＩ制御部２は画像データ一時記憶部４に記憶された画像データを記憶装置９に保存する（時刻ｔ21）。その後の制御内容は、図６に示す時刻ｔ5以降の制御内容と同様である。
【００６３】
［５．効果］
上記の実施形態の一例により得られる効果の一例について説明する。
［５−１．モード切り換え］
画像を撮影するためのシャッター操作と同一の操作を継続することで、撮影モードをタグ付加モードに移行させることができる。つまり、シャッターボタン１４を押し放しにすることで、その直前に撮影された画像データへのタグ付けを続けて実施することができる。これにより、モードの切り換えに係る操作性を向上させることができ、簡単で直感的に理解されやすい操作感を提供することができる。
【００６４】
また、撮影操作と連続してタグ付け操作を行うことができ、操作性を向上させることができる。例えば、図８（ｂ）に示すように、操作者は親指をシャッターボタン１４から移動させる必要がなく、操作に係る疲労感を軽減することができる。
【００６５】
［５−２．タグ付加モード時］
表示部筐体１２を移動させる操作によって簡単にタグを画像データに付加することができ、優れた操作感を提供することができる。また、表示部筐体１２の移動方向とタグ配列空間におけるカーソルの移動方向とが対応しているため、操作者に違和感を与えることなくカーソルを三次元的に自由に動かすことができる。
【００６６】
これにより、従来は単に退屈な作業であったタグ付け操作に娯楽性を付与することができ、ユーザビリティを向上させることができる。また、従来のタグの選択手法と比較して、ボタンの押下回数を劇的に減少させることができ、煩雑な入力操作を回避することができる。
また、シャッターボタン１４を押し続けていなければ、タグの選択がなされない。したがって、誤操作を防止しつつ良好な操作感を提供することができる。さらに、選択したタグを決定する操作は、親指をシャッターボタン１４から放すだけでよい。このようなシンプルな操作も直感的なわかりやすさに大きく寄与する。
【００６７】
また、仮に誤ったタイミングでシャッターボタン１４から指を放した場合であっても、図９（ｂ）に示すように確認用のダイアログが表示されるため、直前の選択操作をキャンセルすることができ、タグの付加間違いを防止することができる。
【００６８】
［６．変形例］
開示の実施形態の一例に関わらず、本実施形態の趣旨を逸脱しない範囲で種々変形して実施することができる。本実施形態の各構成及び各処理は、必要に応じて取捨選択することができ、あるいは適宜組み合わせてもよい。
【００６９】
上述の実施形態では、携帯電話機１０の動きを検出するためのセンサとして加速度センサ１３を用いたものを例示したが、センサの種類はこれに限定されない。例えば、加速度センサ１３に代えて、あるいは加えて、地磁気の方角を検出する地磁気センサや回転運動の回転角を検出するジャイロセンサ等を用いてもよい。少なくとも、表示部筐体１２の動きを検出するものであればよい。
【００７０】
なお、検出すべき携帯電話機１０の動きは、スウィング操作ではなく傾倒操作（水平面に対する携帯電話機１０又は表示部筐体１２の傾斜角を変化させる操作）であってもよい。この場合、操作に係る操作者の負担をより軽減することができ、あるいは娯楽性をさらに高めることができる。
また、表示部筐体１２の代わりに携帯電話機１０の動きを検出するもの、あるいは、操作部筐体１１の動きを検出するものを用いることも考えられる。
【００７１】
例えば、操作部筐体１１と表示部筐体１２とが一体に形成された携帯電話機１０では、センサの位置を任意に設定することができる。また、加速度センサ１３が操作部筐体１１に内蔵される場合、ヒンジ部２０の回転角を検出するセンサを併用することが考えられる。操作部筐体１１の動きと操作部筐体１１に対する表示部筐体１２の角度とを把握することで、タグ配列空間の座標系とセンサの座標系とを一致させることが可能である。
【００７２】
なお、操作部筐体１１と表示部筐体１２とが分離可能に構成された携帯電話機１０では、操作部筐体１１に対する表示部筐体１２の姿勢（相対位置及び相対角度）を検出するセンサを併用すればよい。この場合においても、操作部筐体１１の動きと表示部筐体１２の操作部筐体１１に対する相対的な姿勢とを把握することで、タグ配列空間の座標系とセンサの座標系とを一致させることができる。
【００７３】
また、上述の実施形態では、撮影モードからタグ付加モードへの切り換え条件の一つとして、撮影操作の完了時からの継続操作がなされたことが述べられているが、切り換え条件はこれに限定されない。例えば、カメラ機能の非起動時や撮影モード時にメニューボタン１６の押下によって呼び出されるメニュー画面の中に、撮影済みの画像データにタグを付加するタグ付加モードへの移行項目を用意しておくことが考えられる。これにより、事後的にタグを画像データに付加することができ、より利便性を高めることができる。
【００７４】
あるいは、撮影操作の完了後に画像データを保存するか否かの選択に係るダイアログボックスが表示されるものにあっては、そのダイアログボックスの表示中にシャッターボタンを押し続けることでタグ付加モードへ移行するように制御を変更することも考えられる。このように、継続操作の起点は必ずしも撮影操作の完了時に限定されない。
また、上述の実施形態では、全ての画像データが画像データ記憶部９ｂに保存されるものを例示したが、タグの種類に応じて画像データを複数の格納フォルダに振り分けて保存することも考えられる。画像データを格納するフォルダのパスにタグ名を利用することで、ファイルの格納フォルダを簡易に指定することができる。
【００７５】
また、タグ配列は、図３に示すように、タグ格納部９ａに固定的に記録されたものに限定されない。例えば、当該データベースにタグの使用頻度情報を付加し、使用頻度に応じて配列空間内における座標を変更してもよい。すなわち、配列空間内でタグの位置が付加制御部３ｃによって並び替えられてもよい。頻繁に使用されるタグが同一階層に集合するように配置し、これらのタグから形成されるタグ選択画面が最初に表示されるように構成することで、利便性をより高めることができる。
【００７６】
また、タグ格納部９ａに記録されたタグの種類に関して、操作者によって任意にタグを追加あるいは変更可能としてもよい。例えば、図３中に示すように、選択可能なタグの一つとして「その他」タグを用意し、このタグの選択直後に文字入力を受け付ける構成とする。これにより、操作者が自らタグの種類をカスタマイズすることができ、さらに自由度の高いタグの活用が可能となる。
【００７７】
また、上述の実施形態では、画像データへのタグの付加について説明したが、動画データへのタグの付加においても同様の制御を適用することができる。例えば、動画の撮影終了を指示するための操作ボタンの押下継続操作がなされた場合に、タグ付加モードへ移行することとすれば、上述の実施形態と同様の効果を奏するものとなる。
なお、開示の画像記録処理装置及び画像記録処理方法は、カメラ付き携帯電話機１０だけでなく、ビデオカメラ機能を持った携帯電話機への適用が可能である。また、写真撮影機能や動画撮影機能を搭載するカメラやビデオカメラといった映像記録装置全般への適用が可能である。動画にタグ情報を付加する場合には、各々のコマを上記の画像データに見立ててコマ毎にタグ付けを行ってもよいし、あるいは一連の動画データ（時間的に連続する複数の画像データ群）を一単位としてタグ付けを行ってもよい。
【００７８】
以上の実施形態および変形例に関し、さらに以下の付記を開示する。
（付記１）
所定の操作で画像を撮影する撮影手段と、
該撮影手段で撮影された該画像に該画像のメタ情報を付加するための制御を実施する付加制御手段と、
該操作が所定時間以上継続される継続操作を検出する継続操作検出手段と、
該継続操作検出手段で該継続操作が検出されたときに、該付加制御手段に該制御を実施させるモード切換手段と
を備えたことを特徴とする、画像記録処理装置。
【００７９】
（付記２）
該継続操作検出手段が、該画像の撮影の完了時からの該継続操作を検出する
ことを特徴とする、付記１記載の画像記録処理装置。
（付記３）
筐体の移動を検出する移動検出手段と、
該移動検出手段で検出された該移動に基づき、該画像のメタ情報を選択する選択手段と、
該選択手段で選択された該メタ情報を表示する表示手段と
をさらに備えたことを特徴とする、付記１又は２記載の画像記録処理装置。
【００８０】
（付記４）
該選択手段が、該継続操作検出手段で該継続操作が検出されているときに、該画像のメタ情報を選択する
ことを特徴とする、付記３記載の画像記録処理装置。
（付記５）
該付加制御手段が、該継続操作検出手段で該継続操作が検出されなくなったときに、該選択手段で選択されているメタ情報を該画像に付加する
ことを特徴とする、付記４記載の画像記録処理装置。
【００８１】
（付記６）
撮影した画像に該画像のメタ情報を付加する画像記録処理方法であって、
所定の操作で該画像を撮影する第一ステップと、
該操作が所定時間以上継続される継続操作の検出時に、メタ情報付加モードへ移行する第二ステップと、
該メタ情報付加モード下で該画像のメタ情報を該画像に付加する第三ステップと
を備えたことを特徴とする、画像記録処理方法。
【００８２】
（付記７）
該第二ステップにおいて、該画像の撮影の完了時からの該継続操作を検出する
ことを特徴とする、付記６記載の画像記録処理方法。
（付記８）
筐体の移動を検出する第四ステップと、
該第四ステップで検出された該移動に基づき、該画像のメタ情報を選択する第五ステップと
をさらに備えたことを特徴とする、付記６又は７記載の画像記録処理方法。
【００８３】
（付記９）
該第五ステップにおいて、該継続操作が検出されているときに、該画像のメタ情報を選択する
ことを特徴とする、付記８記載の画像記録処理方法。
（付記１０）
該第五ステップにおいて、該継続操作が検出されなくなった時点で選択されている該画像のメタ情報を決定し、
該第三ステップにおいて、該第五ステップで決定された該画像のメタ情報を該画像に付加する
ことを特徴とする、付記９記載の画像記録処理方法。
【００８４】
（付記１１）
画像撮影操作を入力するための撮影操作部と、
該撮影操作部への操作により画像を撮影する撮影ユニットと、
該撮影ユニットで撮影された該画像に該画像のメタ情報を付加する付加制御部と、
該撮影操作部での撮影操作が所定時間以上継続される継続操作を検出する継続操作検出部と、
筐体の移動を検出する移動検出部と、
該移動検出部で検出された該移動に基づき、該継続操作検出部で該継続操作が検出されているときに、該画像のメタ情報を選択する選択部とを備え、
該付加制御部が、該継続操作検出部で該継続操作が検出されなくなったときに、該選択部で選択されている該メタ情報を該撮影ユニットで撮影された該画像に付加する
ことを特徴とする、画像記録処理装置。
【００８５】
（付記１２）
該撮影操作部として機能するキー操作部と、
該キー操作部と連携して該撮影ユニットとして機能するカメラ部と、
該移動検出部として機能するモーションセンサと、
該キー操作部，該カメラ部及び該モーションセンサに対して所定のインターフェースを介して接続され、該付加制御部，該継続操作検出部，該移動検出部及び該選択部として機能するプロセッシングユニットとを備えた
ことを特徴とする、付記１１記載の画像記録処理装置。
【符号の説明】
【００８６】
１  撮影ユニット（撮影手段）
１ａ  カメラ部
１ｂ  カメラ制御部
２  ＵＩ制御部（プロセッシングユニット）
３  中央処理制御部
３ａ  撮影制御部
３ｂ  モード切換部（モード切換手段）
３ｃ  付加制御部（付加制御手段）
３ｄ  選択部（選択手段）
３ｅ  ダイアログ制御部
４  画像データ一時記憶部
５  シャッター状態検出部（継続操作検出手段）
６  入出力制御部（表示手段）
７  モーション検出部（移動検出部，移動検出手段）
８  データ記憶領域制御部
９  記憶装置
９ａ  タグ格納部
９ｂ  画像データ記憶部
１０  携帯電話機
１１  操作部筐体
１２  表示部筐体
１３  加速度センサ（モーションセンサ）
１４  多機能ボタン，シャッターボタン（撮影操作部，キー操作部）
１５  ディスプレイ
１６  メニューボタン
１７  数字ボタン
１８  キー
１９  カメラボタン
２０  ヒンジ部
【図１】
2011199562.tif 000003
【図２】
2011199562.tif 000004
【図３】
2011199562.tif 000005
【図４】
2011199562.tif 000006
【図５】
2011199562.tif 000007
【図６】
2011199562.tif 000008
【図７】
2011199562.tif 000009
【図８】
2011199562.tif 000010
【図９】
2011199562.tif 000011